(57)【特許請求の範囲】
【請求項１】
厨芥を乾燥処理する厨芥収納容器と、前記厨芥収納容器の上方かつ流し台水槽の排水口に配され、上部、下部に開口部を有する略円筒状の支持部材と前記支持部材の軸方向に直交し回動自在に軸支された回転軸とで構成される厨芥投入部と、前記厨芥収納容器内へ投入された厨芥を攪拌する攪拌手段とを備え、前記回転軸は、厨芥を一時的に収納するための凹部と前記凹部に流れ込む水を排水するための排水口とを有し、前記厨芥収納容器を装置筐体から摺動自在に引き出し可能とし、前記回転軸の凹部の開口部が前記支持部材の下部開口部側になるように前記回転軸を回転させることで、前記流し台水槽の排水口に設けられた前記支持部材の上部開口部から前記凹部に一時的に収納された厨芥が前記厨芥収納容器に投入される構成とした厨芥処理装置。
【請求項２】
回転軸をモーターにて回転させることで、前記回転軸の凹部に一時的に収納された厨芥が厨芥収納容器に投入される請求項１記載の厨芥処理装置。
【請求項３】
攪拌手段を構成する回転刃を、前記攪拌手段を駆動させる攪拌モーターの出力軸に、取り外し自由に連結させた請求項１または２記載の厨芥処理装置。
【請求項４】
厨芥収納容器を内方に配した外容器を有し、前記外容器の上面に当接して排出経路を密閉するパッキンを設けた請求項１〜３のいずれか１項に記載の厨芥処理装置。
【請求項５】
空気が流入する吸気口から取り入れた空気を熱風にするヒーターと、前記熱風を厨芥収納容器に送り込む送風ファンと、前記ヒーターと前記送風ファンを覆うカバーから構成させる加熱手段を有する請求項１〜４のいずれか１項に記載の厨芥処理装置。
【請求項６】
加熱手段を構成する送風ファンの吸気口を下方に向けて開口し、前記吸気口の上部に空気の逆流を防止する逆止弁を設けた請求項５記載の厨芥処理装置。
【請求項７】
逆止弁を送風ファンの直下に配置した請求項６記載の厨芥処理装置。
【請求項８】
逆止弁の弁体をボールとした請求項６または７記載の厨芥処理装置。
【請求項９】
逆止弁の弁体を送風ファンの作動による空気の吸込力により浮き上がる質量とした請求項６〜８のいずれか１項に記載の厨芥処理装置。
【請求項１０】
乾燥処理時に厨芥から発生する臭いや水蒸気を処理装置の外へ排出するための排気経路を設け、前記排気経路と家庭排水管を排気ファンを介して連通させるとともに、前記排気ファンにより前記臭いや水蒸気を家庭排水管に排出したことを特徴とする請求項１〜９のいずれか１項に記載の厨芥処理装置。
【請求項１１】
排気経路と家庭排水管をトラップを介して連通させた請求項１０記載の厨芥処理装置。
【請求項１２】
排気経路と家庭排水管を伸縮部材を介して連通させた請求項１０記載の厨芥処理装置。
【請求項１３】
装置筐体から外容器を引き出したとき、排気ファンを作動させる請求項１０〜１２のいずれか１項に記載の厨芥処理装置。
【発明の詳細な説明】
【０００１】
【発明の属する技術分野】
本発明は、生ゴミ等の厨芥を処理する厨芥処理装置に関するものである。
【０００２】
【従来の技術】
従来の厨芥処理装置としては、生ゴミを粉砕して下水へ流すディスポーザーや、生ゴミを粉砕・脱水して回収する生ゴミ脱水機がある。ディスポーザーは、下水処理施設のない地域では河川を汚し、環境汚染の原因になる。一方、生ゴミ脱水機は、脱水した生ゴミを回収するので直接には環境汚染の原因にはならないが、回収した生ゴミは放置しておくと腐敗しやすく、悪臭を発生する。そのために、脱水回収した生ゴミを低温で保管したり、頻繁に公共のゴミ収集場所へ出して、処理しなければならない。
【０００３】
また近年では、生ゴミ等の厨芥を乾燥し減量する厨芥乾燥処理機がある。
【０００４】
以下に従来の厨芥乾燥処理機について説明する。図９に従来の厨芥乾燥処理機を示す。
【０００５】
図９において、１は厨芥収納容器であり、生ゴミ等の厨芥２を攪拌する攪拌はね３を内蔵している。４は攪拌はね３を駆動するモーターである。５は厨芥収納容器１を密閉するための蓋であり、ヒーター６、ファン７で構成される加熱手段を内蔵している。８は蓋５を回転支持する蝶番であり、９は蓋５を密閉支持するための尾錠である。１０は蓋５の開閉レバーで、尾錠９に当接するように配されている。１１は排水タンクであり配管パイプ１２を介して凝縮器１３に着脱可能に連結されている。１４は冷却ファンであり、１５は処理中に発生する臭いを軽減するための触媒である。
【０００６】
以上のように構成された厨芥乾燥処理機について、以下その動作を説明する。
【０００７】
まず、開閉レバー１０により蓋５を開ける。次に流し台などで発生した生ゴミ等の厨芥を厨芥収納容器１に入れ蓋５を閉める。この状態で厨芥乾燥処理機を運転すると、厨芥２は、攪拌はね３により攪拌されるとともに、ヒーター６およびファン７により加熱され水蒸気を発生しながら乾燥処理されていく。処理中に発生する水蒸気は凝縮器１３により結露して配管パイプ１２を経由して排水タンク１１にたまるようになっている。このようにして乾燥処理が完了すると、開閉レバー１０により蓋５を開けて厨芥収納容器１を厨芥乾燥処理機から取り出して厨芥収納容器１内の厨芥を処理する。
【０００８】
【発明が解決しようとする課題】
しかしながら上記の従来の構成では、生ゴミ等の厨芥を厨芥収納容器１に入れる都度、蓋５を開閉する必要があり、処理準備に手間がかかるとともに、蓋５を開閉するためのデッドスペースを多く必要とするため、生ゴミ等の厨芥の主たる発生場所である流し台の中に装置を設置することが困難である。
【０００９】
また、臭いを軽減するための触媒が設置されているものの吸気口がないために処理中に発生する臭いは厨芥収納容器１内で凝縮され、蓋５を開けると臭いがまわりに拡散する。
【００１０】
また、処理中に発生する水蒸気が結露し水になって排水タンク１１に溜まるため、定期的に排水タンク１１内の水を捨てる必要がある等の問題点を有していた。
【００１１】
本発明は、上記従来の厨芥処理装置の問題点を解決するもので、厨芥の主たる発生現場である台所の流し台に厨芥処理装置を設置することにより、厨芥が発生する都度、その場で乾燥減量処理し、厨芥処理の手間を軽減し台所を衛生的にする厨芥処理装置を提供することを第１の目的とするものである。
【００１２】
また厨芥を乾燥処理中であっても流し台の水が使用でき、新たに発生する厨芥を一時的に収納できるようにすることを第２の目的とするものである。
【００１３】
また、加熱処理時に発生する水蒸気を強制的に処理装置の外に排出して処理時間を短縮すること、処理中に発生する臭いを強制的に処理装置の外に排出することを第３の目的とするものである。
【００１４】
また、処理中に発生した臭いが処理後に処理装置の外に漏れないようにすることを第４の目的とするものである。
【００１５】
また、流し台に厨芥処理装置を設置し、運転中であっても水道水の使用を可能とすることを第５の目的とするものである。
【００１６】
【課題を解決するための手段】
上記従来の課題を解決するために本発明は、厨芥を乾燥処理する厨芥収納容器と、前記厨芥収納容器の上方かつ流し台に配され、上部、下部に開口部を有する略円筒状の支持部材と前記支持部材の軸方向に直交し回動自在に軸支された回転軸とで構成される厨芥投入部と、前記厨芥収納容器内へ投入された厨芥を攪拌する攪拌手段とを備え、前記回転軸は、厨芥を一時的に収納するための凹部と前記凹部に流れ込む水を排水するための排水口とを有し、前記厨芥収納容器を装置筐体から摺動自在に引き出し可能とし、前記回転軸の凹部の開口部が前記支持部材の下部開口部側になるように前記回転軸を回転させることで、前記流し台水槽の排水口に設けられた前記支持部材の上部開口部から前記凹部に一時的に収納された厨芥が前記厨芥収納容器に投入される構成としたもので、水道水が排水された後、回転軸を回転させることにより、前記回転軸の凹部の開口部が下向きに位置し、凹部内部に入れられた厨芥は、前記厨芥収納容器内に落下する。次に回転軸を回転させて、前記回転軸の凹部の開口部は元の位置（上を向く位置）に位置決めされる。この状態で装置を運転し、厨芥の乾燥処理を行う。乾燥処理中であっても、前記凹部の開口部は、上向きに位置しているため流し台の水道水を使用しても、使用される水は、前記凹部に入り、凹部に配された排水口から排水され、前記厨芥収納容器の中に漏れて行くことがない。また、新たに発生する厨芥は、前記凹部に一時的に収納しておくことができ、また、凹部に排水口を設けたことにより、上記したように厨芥は、厨芥投入部の上部からいったん凹部に入れられるが、このとき、或いは厨芥の乾燥処理中に、水道水が凹部に入ってきても凹部に配された排水口から水道水は排水され、前記厨芥収納容器の中に漏れて行くことがないものである。
【００１７】
【発明の実施の形態】
請求項１記載の発明は、厨芥を乾燥処理する厨芥収納容器と、前記厨芥収納容器の上方かつ流し台に配され、上部、下部に開口部を有する略円筒状の支持部材と前記支持部材の軸方向に直交し回動自在に軸支された回転軸とで構成される厨芥投入部と、前記厨芥収納容器内へ投入された厨芥を攪拌する攪拌手段とを備え、前記回転軸は、厨芥を一時的に収納するための凹部と前記凹部に流れ込む水を排水するための排水口とを有し、前記厨芥収納容器を装置筐体から摺動自在に引き出し可能とし、前記回転軸の凹部の開口部が前記支持部材の下部開口部側になるように前記回転軸を回転させることで、前記流し台水槽の排水口に設けられた前記支持部材の上部開口部から前記凹部に一時的に収納された厨芥が前記厨芥収納容器に投入される構成としたもので、水道水が排水された後、回転軸を回転させることにより、前記回転軸の凹部の開口部が下向きに位置し、凹部内部に入れられた厨芥は、前記厨芥収納容器内に落下する。次に回転軸を回転させて、前記回転軸の凹部の開口部は元の位置（上を向く位置）に位置決めされる。この状態で装置を運転し、厨芥の乾燥処理を行う。乾燥処理中であっても、前記凹部の開口部は、上向きに位置しているため流し台の水道水を使用しても、使用される水は、前記凹部に入り、凹部に配された排水口から排水され、前記厨芥収納容器の中に漏れて行くことがない。また、新たに発生する厨芥は、前記凹部に一時的に収納しておくことができ、また、凹部に排水口を設けたことにより、上記したように厨芥は、厨芥投入部の上部からいったん凹部に入れられるが、このとき、或いは厨芥の乾燥処理中に、水道水が凹部に入ってきても凹部に配された排水口から水道水は排水され、前記厨芥収納容器の中に漏れて行くことがないものである。
【００１８】
請求項２記載の発明は、回転軸をモーターにて回転させることで、前記回転軸の凹部に一時的に収納された厨芥が厨芥収納容器に投入されるもので、モーターを駆動させて、回転軸を回転させることにより、前記回転軸の凹部の開口部が下向きに位置し、凹部内部に入れられた厨芥は、前記厨芥収納容器内に落下する。次に凹部を作動させて、凹部の開口部は元の位置（上を向く位置）に位置決めできる。
【００１９】
請求項３記載の発明は、攪拌手段を構成する回転刃を、前記攪拌手段を駆動させる攪拌モーターの出力軸に、取り外し自由に連結させたもので、上記したように、厨芥を乾燥処理した後、厨芥収納容器を外容器から取り出すことができ、厨芥収納容器内の減量処理された厨芥を廃棄することができるものである。
【００２０】
請求項４記載の発明は、厨芥収納容器を内方に配した外容器を有し、前記外容器の上面に当接して排出経路を密閉するパッキンを設けたもので、厨芥収納容器および水蒸気を排出するための排出経路を密閉する構造にすることができるものである。
【００２１】
本発明の請求項５記載の発明は、空気が流入する吸気口から取り入れた空気を熱風にするヒーターと、前記熱風を厨芥収納容器に送り込む送風ファンと、前記ヒーターと前記送風ファンを覆うカバーから構成させる加熱手段を有するもので、前記熱風が外に逃げないようにすることができるものである。
【００２２】
請求項６記載の発明は、加熱手段を構成する送風ファンの吸気口を下方に向けて開口し、前記吸気口の上部に空気の逆流を防止する逆止弁を設けたもので、逆止弁を構成するボールは、送風ファンの作動による空気の吸入力により浮き上がり空気の取り入れを可能とし、送風ファンの作動停止により自重で落下し吸気口を塞ぐように構成されている為、送風ファンが停止すれば、送風ファンの真下に設置された逆止弁に内蔵したボールが自重により落下して逆止弁の吸気口を塞ぎ、厨芥処理容器内の空気（臭い）が吸気口から外へ漏れ出すことを防止することができるものである。
【００２３】
請求項７記載の発明は、逆止弁を送風ファンの直下に配置したもので、上記したように、送風ファンの真下に設置された逆止弁に内蔵したボールが自重により落下して逆止弁の吸気口を塞ぎ、厨芥処理容器内の空気（臭い）が吸気口から外へ漏れ出すことを防止することができるものである。
【００２４】
請求項８記載の発明は、逆止弁の弁体をボールとしたもので、上記したように、弁体であるボールは、送風ファンの作動による空気の吸入力により浮き上がり空気の取り入れを可能とし、送風ファンの作動停止により自重で落下し吸気口を塞ぐように構成することができるものである。そして、送風ファンの真下に設置された逆止弁に内蔵した弁体であるボールが自重により落下して逆止弁の吸気口を塞ぎ、厨芥処理容器内の空気（臭い）が吸気口から外へ漏れ出すことを防止することができるものである。
【００２５】
請求項９記載の発明は、逆止弁の弁体を送風ファンの作動による空気の吸込力により浮き上がる質量としたもので、逆止弁を構成する弁体であるボールは、送風ファンの作動による空気の吸入力により浮き上がり空気の取り入れを可能とし、送風ファンの作動停止により自重で落下し吸気口を塞ぐように構成されている為、上記したように、送風ファンの真下に設置された逆止弁に内蔵したボールが自重により落下して逆止弁の吸気口を塞ぎ、厨芥処理容器内の空気（臭い）が吸気口から外へ漏れ出すことを防止することができるものである。
【００２６】
請求項１０記載の発明は、乾燥処理時に厨芥から発生する臭いや水蒸気を処理装置の外へ排出するための排気経路を設け、前記排気経路と家庭排水管を排気ファンを介して連通させるとともに、前記排気ファンにより前記臭いや水蒸気を家庭排水管に排出したことを特徴とするもので、排出経路に配された排気ファンを運転することにより、厨芥乾燥処理中に厨芥収納容器内で発生する水蒸気、および臭いを強制的に処理装置の外へ排出し、厨芥の乾燥処理時間の短縮と、処理中に発生する臭いの拡散を防止するものである。また、排気ファンを作動させていれば、厨芥収納容器内は負圧になり臭いは部屋にもれる事なく排出経路から排気ファンを経て家庭排水管へ排出させることができるものである。
【００２７】
請求項１１記載の発明は、排気経路と家庭排水管をトラップを介して連通させたもので、上記したように、臭いが部屋にもれる事なく排出経路から排気ファンを経て家庭排水管へ排出させることができるものである。
【００２８】
請求項１２記載の発明は、排気経路と家庭排水管を伸縮部材を介して連通させたもので、乾燥処理された後、取っ手をもってスライドガイドに搭載された外容器を厨芥処理装置の筐体から引き出し、厨芥収納容器内の減量処理された厨芥を廃棄する。このとき排気ファンを作動させていれば、厨芥収納容器内は負圧になり臭いは部屋にもれる事なく排出経路から排気ファンを経て家庭排水管へ排出させることができるものである。
【００２９】
請求項１３記載の発明は、装置筐体から外容器を引き出したとき、排気ファンを作動させるもので、乾燥処理された後、取っ手をもってスライドガイドに搭載された外容器を厨芥処理装置の筐体から引き出し、厨芥収納容器内の減量処理された厨芥を廃棄する。このとき排気ファンを作動させていれば、厨芥収納容器内は負圧になり臭いは部屋にもれる事なく排出経路から排気ファンを経て家庭排水管へ排出させることができるものである。
【００３０】
【実施例】
（実施例１）
以下本発明の一実施例の厨芥処理装置について、図面を参照しながら説明する。
【００３１】
図１に本発明の第１の実施例における厨芥処理装置の全体を示し、この装置は流し台に組みこまれた状態である。図１において、１６は外容器１７に取り出し自在に配置された厨芥収納容器である。厨芥収納容器１６内には厨芥１８を粉砕する攪拌手段として固定刃１９、回転刃２０が設けられている。回転刃２０は、外容器１７に取り付けられた攪拌モーター２１の出力軸に取り外し自由に連結されている。２２は一対の摺動自在なスライドガイドであり、本体フレーム２３に回転軸２４により矢印方向に回動自在に軸支されている。
【００３２】
２５は底板であり、ブラケット２６、２７によりスライドガイド２２に連結され、さらに支柱２８および支柱板２９を介して前記外容器１７を支持している。３０は尾錠であり、ピン３１を介して支柱板２９に回転自在に支持されている。３２は圧縮ばね、３３はばね受けであり、支柱板２９に固定されている。３４は前面パネルで、支持棒３５により支柱板２９に固定されている。３６は尾錠３０に係合する金具であり天板３７に固定されている。天板３７にはパッキン３８が取り付けられ、外容器１７の上面に当接し厨芥収納容器１６および水蒸気を排出するための排出経路３９を密閉する構造になっている。
【００３３】
４０は天板３７に固定され、空気を逆止弁７２の吸気口８１（図４参照）から取り入れヒーター４１に当てて熱風にして前記厨芥収納容器１６内に送りこむ送風ファンである。４２は前記熱風が外に逃げないためのカバーであり、前記ヒーター４１を固定支持するとともに天板３７に固定されている。４３は操作部、４４は乾燥手段を制御する制御回路であり、８０は外容器１７の上部に配され、厨芥１８の乾燥処理中に発生する水蒸気の温度を検知し、厨芥１８の乾燥状態を把握するための温度センサーである。
【００３４】
４５は厨芥投入部であり、厨芥投入部４５は、上部、下部に各々開口部４６、４７を有するとともに、開口部４６の外側に水槽５７から流れこむ水を排水するための外周溝７９を有した支持部材４８と、支持部材４８の軸方向に直交し回動自在に軸支された回転軸５０とで構成されている。回転軸５０には、厨芥１８を一時的に収納するための凹部５１と、凹部５１に流れこんでくる水を排水するための排水口５２（図３参照）が設けられている。５３、５４は回転軸５０を支持部材４８に軸方向において固定するための押さえ板で、水漏れしないようにＯリング（図示せず）などのシール機能を介して支持部材４８に（図５参照）固定されている。５５は支持部材４８に設けられたねじに累合するナットである。支持部材４８は流し台５６の水槽５７に設けられた排水口５８にパッキン５９を介して前記ナット５５により固定されている。
【００３５】
図２において、６０はモーターであり、モーター６０に固定されたプーリー６１、ベルト６２および前記回転軸５０に固定されたプーリー６３を介して回転軸５０を回転駆動させる。６６は天板３７に設けられ、送風ファン４０およびヒーター４１で発生する熱風を厨芥収納容器１６へ送りこむための通風穴である。
【００３６】
６７は流し台で使用する水道水を排水するためのホースであり、前記回転軸５０に設けられた排水口５２に連絡される排水パイプ６８に配管されるとともに、前記支持部材４８に配管され排水パイプ６９（図３参照）と合流して水道水を厨芥投入部４５からトラップ７０へ排水する。トラップ７０は防臭のために一般的に設けられるものであり家庭排水管７１に配管されている。
【００３７】
図４において、７２は生ゴミ収納容器１６内から吸気口８１への空気（臭い）の逆流を防止するための逆止弁であり、天板３７に固定された送風ファン４０の直下に配置されている。７３は逆止弁を構成するボールである。ボール７３は、送風ファン４０の作動による空気の吸入力により浮き上がり空気の取り入れを可能とし、送風ファン４０の作動停止により自重で落下し吸気口８１を塞ぐように構成されている。
【００３８】
７４はじゃばら等でできている伸縮自在な排気ホースであり、排気ホース７４の一方は外容器１７の下部に取り付けられた配管継手７５に接続され他の一方は排気ファン７６に接続されてトラップ７０への排気経路が構成されている。７７は排気ファン７６の取り付け部材で、７８はトラップ７０に排気経路を配管するホースである。
【００３９】
以上のように構成された厨芥処理装置について、図１〜図６を用いてその動作を説明する。発生した生ゴミ等の厨芥は、流し台の水槽の排水口５８に設けられた厨芥投入部４５の開口部４６から回転軸５０に設けられた凹部５１にいったん収納される。このとき厨芥１８とともに凹部５１に入った水道水は排水口５２から排水パイプ６８、排水ホース６７、トラップ７０を経て家庭排水管７１に流される。次に、モーター６０を駆動させて、回転軸５０の凹部５１の開口部が開口部４７側になるように回転軸５０を回転させる（図５参照）。これにより、前記収納された厨芥１８は、厨芥収納容器１６に落下投入される。
【００４０】
次に回転軸５０は、回転軸５０の有する凹部５１の開口部が厨芥投入部４５の開口部４６に連通する位置にモーター６０の作動により位置決めさる。この状態で流し台の水道水を流しても、凹部５１に設けられた排水口５２からトラップ７０に排水されるため厨芥収納容器１６の中に水道水は入らない。また水道水は支持部材４８に設けられた外周溝７９から排水パイプ６９を経てトラップ７０に排水できるようにも構成されている。
【００４１】
厨芥収納容器１６に落下投入された厨芥１８は、吸気口８１から吸入され送風ファン４０、ヒーター４１の作動により、通風穴６６を通って厨芥収納容器１６内に拡散される熱風により加熱される。また厨芥１８に均一に熱風が当たるように攪拌モーター２１を作動させ固定刃１９および回転刃２０により厨芥１８を攪拌粉砕する。
【００４２】
加熱攪拌により生ゴミ等の厨芥から発生する水蒸気および臭いは、送風ファン４０の送風圧力と排気ファン７６の作動により厨芥収納容器１６の上端部と天板３７との隙間ａをへ、さらに厨芥収納容器１６と外容器１７の隙間ｂを経て外容器１７の底部に設けられた配管継手７５、排気ホース７４、トラップ７０を通過して家庭排水管７１に排出される。
【００４３】
生ゴミ等の厨芥から水蒸気が発生しているときは、外容器１７の上部外壁に設けられた温度センサー８０の温度は、水蒸気の温度と略等しく１００℃近くになる。そして生ゴミ等の厨芥の乾燥が進み、水蒸気の発生が減少し温度センサー８０の取り付けられた外容器１７内側への流入量が減ると温度センサー８０により検知される温度が低下してくる。そして、温度センサー８０による検知温度が前記制御回路４４に設定された温度以上低下すると、乾燥を終了させヒーター４１の発熱を停止する。
【００４４】
処理中に発生した臭いは、前記制御回路４４により一定時間作動する送風ファン４０と排気ファン７６により排出経路から家庭排水管７１へ排出される。このように臭いを排出した後、厨芥処理装置の運転を停止する。
【００４５】
送風ファン４０が停止すれば、送風ファン４０の真下に設置された逆止弁７２に内蔵したボール７３が自重により落下して逆止弁７２の吸気口８１を塞ぎ、厨芥処理容器１６内の空気（臭い）が吸気口８１から外へ漏れ出すことはない。
【００４６】
このようにして乾燥処理された後、人手により尾錠３０をはずして、取っ手をもってスライドガイド２２に搭載された外容器１７を厨芥処理装置の筐体から引き出し（図６参照）、厨芥収納容器１６内の減量処理された厨芥を廃棄する。このとき排気ファン７６を作動させていれば、厨芥収納容器１６内は負圧になり臭いは部屋にもれる事なく排出経路３９から排気ファン７６を経て家庭排水管７１へ排出される。
【００４７】
（実施例２）
以下本発明の第２の実施例について図７、図８を参照しながら説明する。
【００４８】
第１の実施例（図１〜図６）の構成と異なるものは、厨芥投入部である。８５は水槽５７にナット８６により固定された厨芥投入部であり、厨芥投入部８５は上下に開放された厨芥投入パイプ８７を内蔵するとともに、厨芥投入パイプ８７の外周には流し台５６で使用する水道水を排水するための排水溝８８が設けられた２重構造に構成されている。８９は厨芥収納容器１６内への水道水の進入を防止する蓋である。９０は排水パイプであり、前記排水溝８８と排水トラップ７０に配管され、流し台５６で使用する水道水を排水パイプ９０を経て家庭排水管７１へ排水する。９１は水道水の流し台内部への進入を防止するパッキンで（図８参照）、９２は水槽５７から排水溝８８へのゴミの進入を防止する金網である。
【００４９】
上記のように構成された厨介処理装置についてその動作を説明する。発生する生ゴミ等の厨芥は、蓋８９を人手により取はずし厨芥投入口８７から厨芥収納容器１６に投入される。生ゴミ等の厨芥投入が完了すれば、蓋８９を取りつけて厨芥処理装置が運転され生ゴミ等の厨芥の乾燥処理が行われる。乾燥処理中に流し台の水道水を使用しても、水は投入部８５に設けられた排水溝８８から排水パイプ９０、トラップ７０を経由して家庭排水管７１に排水される。
【００５０】
【発明の効果】
以上のように本発明によれば、社会的ニーズである生ゴミ等の厨芥の処理において、厨芥の主たる発生場所である流し台の中に厨介処理装置が設置でき、生ゴミ等の厨芥を簡単に乾燥、減量することができ、手間を省略することができる。また処理後のゴミを放置していても腐敗したりカビが発生することがなく、家庭において衛生的な環境の中で快適な生活を営むことができる。
【００５１】
また、流し台の水槽の上から流し台の下に設置された厨介処理装置の厨芥処理容器の中に厨芥が投入でき、厨芥の保管さらには移載といった手間を省略することができる。また厨芥を乾燥処理中であっても流し台の水が使用でき、新たに発生する厨芥を一時的に収納できるため、家事（台所作業）を中断する必要もなくなる。
【００５２】
また、厨芥の乾燥処理中に発生する水蒸気を強制的に排出できるため乾燥処理時間が短縮できる。また乾燥処理後に流し台から厨芥収納容器を引き出したときには、排気ファンの働きにより容器内を負圧にすることができるため臭いの拡散が防止できる。
【００５３】
また、加熱手段を構成する送風ファンの吸気口に空気の逆流を防止する逆止弁を設けたことにより、厨芥の乾燥処理後そのまま厨芥を、厨芥収納容器内に放置していても、臭いが部屋に拡散することがない。
【００５４】
また、厨芥投入部は、流し台の水槽底の開口部と厨芥収納容器との間を中空部材により連通させるとともに、前記中空部材の外周に流し台で使用する水道水を排水する排水路を設けたことにより、構造が簡単で低価格の厨芥の投入部ができ、厨芥の主たる発生場所である流し台の中に厨介処理装置が設置できる。
【図面の簡単な説明】
【図１】  本発明の第１の実施例における厨芥処理装置の側面断面図
【図２】  同厨芥処理装置の平面図
【図３】  同厨芥処理装置投入部の正面断面図
【図４】  同厨芥処理装置排気経路の概略断面図
【図５】  同厨芥処理装置の動作説明のための投入部断面図
【図６】  同厨芥処理装置の動作説明のための断面図
【図７】  本発明の第２の実施例を示す厨芥処理装置の断面図
【図８】  同厨芥処理装置投入部の断面図
【図９】  従来の厨芥乾燥処理機の断面図
【符号の説明】
１  厨芥収納容器
５  蓋
７  ファン
１１  排水タンク
１６  厨芥収納容器
１８  厨芥
２０  回転刃（撹拌手段）
２１  攪拌モーター（撹拌手段）
２２  スライドガイド
３９  排出経路
４０  送風ファン（加熱手段）
４１  ヒーター（加熱手段）
４５  厨芥投入部
４８  支持部材
５０  回転軸
５１  凹部
５６  流し台
６０  モーター
７０  トラップ
７２  逆止弁
７６  排気ファン
８５  厨芥投入部
８７  厨芥投入パイプ
８８  排水溝
８９  蓋
【図１】
0003675367.tif 000002
【図２】
0003675367.tif 000003
【図３】
0003675367.tif 000004
【図４】
0003675367.tif 000005
【図５】
0003675367.tif 000006
【図６】
0003675367.tif 000007
【図７】
0003675367.tif 000008
【図８】
0003675367.tif 000009
【図９】
0003675367.tif 000010